(57)【要約】【課題】静止画像の医用画像における撮影時の被写体の体動の有無を自動的に判定可能とする。【解決手段】本発明に係るコントローラーによれば、被写体を撮影して生成された静止画像である医用画像から所定の空間周波数以上の高周波数成分を抽出し、抽出された高周波数成分の周波数レスポンスに対応する指標値の最大値、平均値又は積分値を算出し、算出された値が予め設定された閾値以下であるか否かを判別することにより、医用画像の撮影時の被写体の体動の有無を判定する。【選択図】図７
2006034521.tif 000002
【特許請求の範囲】
【請求項１】
被写体を撮影して生成された静止画像である医用画像から所定の空間周波数以上の高周波数成分を抽出する高周波数成分抽出手段と、
前記抽出された高周波数成分の周波数レスポンスに対応する指標値の代表値を算出する算出手段と、
前記算出された値を予め設定された閾値と比較することにより、前記医用画像の撮影時の被写体の体動の有無を判定する体動判定手段と、
を備えたことを特徴とする医用画像処理装置。
【請求項２】
前記医用画像を解析し、前記被写体の解剖学的領域に対応する関心領域を設定する関心領域設定手段を備え、
前記高周波数成分抽出手段は、前記医用画像に設定された関心領域の画像から所定の空間周波数以上の高周波数成分を抽出することを特徴とする請求項１に記載の医用画像処理装置。
【請求項３】
前記算出手段は、前記医用画像の中心を求め、中心からの距離が近いほど重みが大きくなるように重み係数を設定し、前記高周波数成分の周波数レスポンスに対応する指標値に中心からの距離に応じた重み係数を乗算し、重み係数が乗算された指標値の代表値を算出することを特徴とする請求項１に記載の医用画像処理装置。
【請求項４】
前記医用画像が放射線画像であり、
前記医用画像の放射線照射野領域を認識する照射野認識手段を備え、
前記算出手段は、前記照射野認識手段により認識された放射線照射野領域の中心を求め、中心からの距離が近いほど重みが大きくなるように重み係数を設定し、前記高周波数成分の周波数レスポンスに対応する指標値に中心からの距離に応じた重み係数を乗算し、重み係数が乗算された指標値の代表値を算出することを特徴とする請求項１に記載の医用画像処理装置。
【請求項５】
前記周波数レスポンスに対応する指標値は、周波数レスポンス自体であることを特徴とする請求項１〜４の何れか一項に記載の医用画像処理装置。
【請求項６】
前記周波数レスポンスに対応する指標値は、前記抽出された高周波成分に対応する周波数帯域画像の画素値であることを特徴とする請求項１〜４の何れか一項に記載の医用画像処理装置。
【請求項７】
被写体を撮影して生成された静止画像である医用画像から所定の空間周波数以上の高周波数成分を抽出する工程と、
前記抽出された高周波数成分の周波数レスポンスに対応する指標値の代表値を算出する工程と、
前記算出された値を予め設定された閾値と比較することにより、前記医用画像の撮影時の被写体の体動の有無を判定する工程と、
を含むことを特徴とする医用画像処理方法。
【発明の詳細な説明】
【技術分野】
【０００１】
本発明は、被写体を撮影して得られた医用画像に各種処理を施す医用画像処理装置及び医用画像処理方法に関する。
【背景技術】
【０００２】
近年、病院内／病院間では、被写体を撮影して静止画像のデジタル医用画像を生成し、この医用画像に医師の読影診断の効率化を図るための画像処理を施して出力する医用画像撮影システムが構築されるようになってきている。この医用画像撮影システムは、被写体の撮影によりデジタルの医用画像を生成するＣＴ（Computed Tomography）、ＣＲ（Computed Radiography）、ＦＰＤ（Flat Panel Detector）等の画像生成装置、生成された医用画像の表示、医用画像への画像処理等を行う画像処理装置、処理済みの医用画像のデータを保存、管理するホスト装置、処理済みの医用画像を記録媒体上に記録して出力するプリンタ等を備えて構成されている。
【０００３】
画像生成装置により生成された医用画像は、医用画像処理装置のモニタ上に表示され、撮影技師により、撮影オーダどおりに撮影された画像であるか否か（患者情報、撮影部位、撮影体位がオーダどおりであるか等）、ポジショニングが正しいか否か等、診断に適切な画像であるか否かの確認が行われている。また、例えば、特許文献１には、画像を解析することによりポジショニングが適正であるか否かを判定し、判定結果に基づいて警告を与える技術が開示されている。
【０００４】
確認により診断に不適切と判定された医用画像は破棄されて再撮影され、適切な医用画像のデータのみが通信ネットワークを介して接続されたホスト装置に送信され、診療科の診断用端末や画像保存データベースに送信されるか、或いは、プリンタに送信されてハードコピー出力され、診断に供される。
【特許文献１】特開平４−３６４８３４号公報
【発明の開示】
【発明が解決しようとする課題】
【０００５】
ところで、撮影時に被写体の体動が存在すると、医用画像に被写体ぶれが生じ、人体構造がわずかにぼけて画像化されるモーションアーチファクトが生じる。モーションアーチファクトが生じた画像は診断用としては不適切であるので、モーションアーチファクトが生じた医用画像は再撮影を行わなければならない。
【０００６】
そこで、撮影後、モーションアーチファクトが生じているか否かを判定する必要があるが、医用画像を確認するためのモニタは診断用のものに比べ低解像度のものが多く、モーションアーチファクトの判断には解像度が不十分であるため、判定が困難であった。そのため、その医用画像が診断に供されてからモーションアーチファクトの発生に気付くこととなり、一旦帰した患者を呼び戻して再撮影しなければならず、効率が悪かった。
【０００７】
確認のために医用画像を表示するモニタを高解像度のものにすれば、モーションアーチファクトの発生の有無を判定することができるが、コストがかかり、スペースも必要となるという問題があった。また、低解像度のモニタであっても拡大表示をすれば判定は可能であるが、画像を拡大したり画像全体をスクロールしたりしなければならず、煩雑であった。
【０００８】
本発明の課題は、静止画像の医用画像における撮影時の被写体の体動の有無を自動的に判定可能とすることである。
【課題を解決するための手段】
【０００９】
上記課題を解決するため、請求項１に記載の発明の医用画像処理装置は、
被写体を撮影して生成された静止画像である医用画像から所定の空間周波数以上の高周波数成分を抽出する高周波数成分抽出手段と、
前記抽出された高周波数成分の周波数レスポンスに対応する指標値の代表値を算出する算出手段と、
前記算出された値を予め設定された閾値と比較することにより、前記医用画像の撮影時の被写体の体動の有無を判定する体動判定手段と、
を備えたことを特徴としている。
【００１０】
請求項２に記載の発明は、請求項１に記載の発明において、
前記医用画像を解析し、前記被写体の解剖学的領域に対応する関心領域を設定する関心領域設定手段を備え、
前記高周波数成分抽出手段は、前記医用画像に設定された関心領域の画像から所定の空間周波数以上の高周波数成分を抽出することを特徴としている。
【００１１】
請求項３に記載の発明は、請求項１に記載の発明において、
前記算出手段は、前記医用画像の中心を求め、中心からの距離が近いほど重みが大きくなるように重み係数を設定し、前記高周波数成分の周波数レスポンスに対応する指標値に中心からの距離に応じた重み係数を乗算し、重み係数が乗算された指標値の代表値を算出することを特徴としている。
【００１２】
請求項４に記載の発明は、請求項１に記載の発明において、
前記医用画像が放射線画像であり、
前記医用画像の放射線照射野領域を認識する照射野認識手段を備え、
前記算出手段は、前記照射野認識手段により認識された放射線照射野領域の中心を求め、中心からの距離が近いほど重みが大きくなるように重み係数を設定し、前記高周波数成分の周波数レスポンスに対応する指標値に中心からの距離に応じた重み係数を乗算し、重み係数が乗算された指標値の代表値を算出することを特徴としている。
【００１３】
請求項５に記載の発明は、請求項１〜４の何れか一項に記載の発明において、
前記周波数レスポンスに対応する指標値は、周波数レスポンス自体であることを特徴としている。
【００１４】
請求項６に記載の発明は、請求項１〜４の何れか一項に記載の発明において、
前記周波数レスポンスに対応する指標値は、前記抽出された高周波成分に対応する周波数帯域画像の画素値であることを特徴としている。
【００１５】
請求項７記載の発明の医用画像処理方法は、
被写体を撮影して生成された静止画像である医用画像から所定の空間周波数以上の高周波数成分を抽出する工程と、
前記抽出された高周波数成分の周波数レスポンスに対応する指標値の代表値を算出する工程と、
前記算出された値を予め設定された閾値と比較することにより、前記医用画像の撮影時の被写体の体動の有無を判定する工程と、
を含むことを特徴としている。
【発明の効果】
【００１６】
請求項１、７に記載の発明によれば、被写体を撮影して生成された静止画像である医用画像から所定の空間周波数以上の高周波数成分を抽出し、抽出された高周波数成分の周波数レスポンスに対応する指標値の代表値を算出し、算出された値を予め設定された閾値と比較することにより、前記医用画像の撮影時の被写体の体動の有無を判定する。従って、静止画像である医用画像の撮影時の被写体の体動の有無を自動的に判定することが可能となる。
【００１７】
請求項２に記載の発明によれば、被写体の解剖学的領域に対応する関心領域の画像から撮影時の被写体の体動の有無を判定するので、診断上注目すべき領域に体動があるか否かを判定することが可能となる。
【００１８】
請求項３に記載の発明によれば、医用画像の中心を求め、中心からの距離が近いほど重みが大きくなるように重み係数を設定し、高周波数成分の周波数レスポンスに対応する指標値に中心からの距離に応じた重み係数を乗算し、重み係数が乗算された指標値の代表値を算出し、算出された値を予め設定された閾値と比較することにより、医用画像の撮影時の被写体の体動の有無を判定する。従って、被写体が含まれる確立が高い領域を重視した体動判定を行うことが可能となる。
【００１９】
請求項４に記載の発明によれば、医用画像が放射線画像である場合に、医用画像の放射線照射野領域の中心を求め、中心からの距離が近いほど重みが大きくなるように重み係数を設定し、高周波数成分の周波数レスポンスに対応する指標値に中心からの距離に応じた重み係数を乗算し、重み係数が乗算された指標値の代表値を算出し、算出された値を予め設定された閾値と比較することにより、医用画像の撮影時の被写体の体動の有無を判定する。従って、被写体が含まれる確立が高い照射野領域の中心を重視した体動判定を行うことが可能となる。
【００２０】
請求項５に記載の発明によれば、周波数レスポンスに対応する指標値として、周波数レスポンス自体を用いて体動判定を行うことが可能となる。
【００２１】
請求項６に記載の発明によれば、周波数レスポンスに対応する指標値として、抽出された高周波成分に対応する周波数帯域画像の画素値を用いて体動判定を行うことが可能となる。
【発明を実施するための最良の形態】
【００２２】
以下、図を参照して本実施の形態について説明する。
まず、構成について説明する。
【００２３】
図１に、本実施の形態における医用画像撮影システム１００の全体構成を示す。図１に示すように、医用画像撮影システム１００は、ＣＲ装置を用いたシステムであり、撮影装置１と、リーダー２と、コントローラー３と、受付装置４と、プリンタ５と、ビューア６と、画像ＤＢ（Data Base）７ａを備えたホスト装置７とを備え、リーダ２、コントローラー３、受付装置４、プリンタ５、ビューア６及びホスト装置７はスイッチングハブＨを介してＬＡＮ接続されて構成されている。なお、医用画像撮影システム１００における各装置の台数は、特に限定されない。
【００２４】
病院内の通信方式としては、一般的に、ＤＩＣＯＭ（Digital Image and Communications in Medicine）規格が用いられており、ＬＡＮ接続された各装置間の通信では、ＤＩＣＯＭ  ＭＷＭ(Modality Worklist Management）やＤＩＣＯＭ  ＭＰＰＳ（Modality Performed Procedure Step）が用いられる。
【００２５】
撮影装置１は、放射線源１６を有し、被写体Ｍに放射線を照射して静止画像を撮影する。カセッテ１は、放射線エネルギーを蓄積する輝尽性蛍光体シート１８を備える放射線画像変換プレートが内蔵された持ち運び可能な放射線画像変換媒体であり、放射線源１６からの照射放射線量に対する被写体Ｍの放射線透過率分布に従った放射線量を内設された輝尽性蛍光体シート１８の輝尽性蛍光体層に蓄積し、この輝尽性蛍光体層に被写体Ｍの放射線画像情報を記録する。
【００２６】
リーダー２は、装填されたカセッテ１７に記録された被写体の放射線画像情報を読み取り、医用画像データを生成する画像生成装置であり、コントローラー３からの制御信号に基づいて装填されたカセッテ１７の輝尽性蛍光体シート１８に励起光を照射し、これによりシートから発光される輝尽光を光電変換し、得られた画像信号をＡ／Ｄ変換して、医用画像データを生成する。
【００２７】
コントローラー３は、本発明の医用画像処理装置であり、リーダー２の画像の読み取りを制御すると共に、患者情報、撮影部位情報、依頼科情報等の撮影オーダ情報の入力、リーダー２により読み取られた医用画像データに基づく画像の表示、読み取られた医用画像データへの画像処理、読み取られた医用画像データに関する体動判定、読み取られた医用画像データと撮影オーダ情報との対応付け等を行う。
【００２８】
以下、図２を参照して、コントローラー３の内部構成について説明する。
図２に示すように、コントローラー３は、制御部３１、操作表示部３２、記憶部３３、画像処理部３４、体動判定部３５、識別ラベル検出部３６、通信制御部３７等を備えて構成され、各部はバス３８により接続されている。
【００２９】
制御部３１は、ＣＰＵ（Central Processing Unit）、ＲＯＭ(Read Only Memory）、ＲＡＭ(Random Access Memory）等により構成され、ＣＰＵはＲＯＭに記憶されているシステムプログラムや処理プログラムを読み出してＲＡＭに展開し、展開されたプログラムに従ってコントローラー３の各部を制御し、後述する画像撮影／出力制御処理を始めとする各種処理を実行する。
【００３０】
操作表示部３２は、操作部と表示部により構成される。操作部は、カーソルキー、数字入力キー、及び各種機能キー等を備えたキーボードと、マウス等のポインティングデバイスを備えて構成され、キーボードに対するキー操作やマウス操作により入力された指示信号を制御部３１に出力する。表示部は、ＬＣＤ（Liquid Crystal Display）やＣＲＴ等のモニタにより構成され、制御部３１から入力される表示信号の指示に従って、各種画面を表示する。
【００３１】
記憶部３３は、ＨＤＤ（Hard Disc）や半導体の不揮発性メモリ等により構成される。記憶部３３は、図３に示すように、入力された撮影オーダ情報を記憶する撮影オーダ情報記憶部３３１、リーダー２から送信された医用画像データを撮影オーダ情報と対応付けて記憶する画像データ記憶部３３２、画像処理済みの医用画像データを撮影オーダ情報と対応付けて記憶する処理済み画像データ記憶部３３３、撮影部位情報と各撮影部位に応じた読取条件パラメータ（サンプリングピッチ、読み取り感度等）及び画像処理パラメータ（階調処理に用いる階調曲線を定義したルックアップテーブル、周波数処理の強調度等）とを対応付けて記憶するパラメータ記憶部３３４等を有する。
【００３２】
画像処理部３４は、制御部３１のＣＰＵと、ＲＯＭに記憶された画像処理プログラムとの協働によるソフトウエア処理により実現されるものであり、リーダー２により読み取られた医用画像データの撮影部位に対応する画像処理パラメータをパラメータ記憶部３３４から読み出して、読み出したパラメータに基づいて画像処理条件を決定し、決定した画像処理条件で医用画像データに画像のコントラストを調整する階調処理、鮮鋭度を調整する周波数処理等の画像処理を施し、画像処理済みの医用画像データを作成する。
【００３３】
体動判定部３５は、制御部３１のＣＰＵと、ＲＯＭに記憶された体動判定処理プログラムとの協働によるソフトウエア処理により実現されるものであり、図７、８に示す体動判定処理Ａ又はＢを実行し、医用画像データを解析し、撮影時、即ち放射線照射中の被写体Ｍの体動の有無を判定する。
放射線照射中に被写体Ｍの体動が存在すると、人体構造がぼけて画像化され、図４に示すように、空間周波数の高い高周波成分（例えば、胸部画像における肺紋理（肺血管や気管支の陰影）や、骨画像における骨梁など）が劣化する。
そこで、体動判定部３５は、後述する体動判定処理Ａ又はＢ（図７、８参照）において、医用画像データのナイキスト周波数ｆＮと（ｆＮ−Δｆ（Δｆは所定の値））の間の、即ち、所定の空間周波数以上の高周波数成分の周波数レスポンス（周波数応答）に基づいて被写体Ｍの体動の有無を判定し、判定結果を制御部３１に出力する。周波数レスポンスは、画像データをフーリエ変換などにより画素値ドメインから空間周波数ドメインへと変換した結果の出力値として得られる量で、各空間周波数成分の大きさを示すものである。
【００３４】
識別ラベル検出部３６は、カセッテ１７上に貼付された識別ラベルの情報（ここでは、カセッテＩＤとする）を読み取って制御部３１に出力する。例えば、識別ラベル検出部３６は、バーコードリーダであり、カセッテ１７上に貼付されたカセッテＩＤを表すバーコードを読み取って解読し、そのカセッテＩＤを制御部３１に出力する。
【００３５】
通信制御部３７は、ネットワークカード等により構成され、スイッチングハブＨに接続された外部装置とデータの送受信を行う。
【００３６】
以上、コントローラー３の構成について説明したが、画像処理部３４、体動判定部３５は制御部３１のＣＰＵとＲＯＭに記憶されている画像処理プログラム、体動判定プログラムとの協働によるソフトウエア処理によって実現されるようにしてもよいし、専用のハードウエアにより構成するようにしてもよい。
【００３７】
受付装置４は、医師からの依頼を受け付けて撮影オーダ情報を発行し、当該発行された撮影オーダ情報に、その撮影オーダ情報を他の撮影オーダ情報と識別するための識別情報（以下、オーダＩＤという。）を付してスイッチングハブＨを介してコントローラー３に出力する。受付装置４としては、ＨＩＳ（Hospital Information System；病院情報システム）やＲＩＳ（Radiology Information System；放射線情報科情報システム）等におけるサーバや撮影オーダ情報の発行受付を行う受付端末が適用可能である。撮影オーダ情報とは、医用画像撮影システム１００において医用画像の撮影を予約するための情報であり、患者情報、撮影部位情報等を含む。
【００３８】
プリンタ５は、例えば、光熱銀塩方式のプリンタであり、コントローラー３から出力された画像処理済みの医用画像データに基づいて、記録媒体（ここでは、フィルムとする）上に医用画像を可視像として再生したハードコピーを出力する。
ビューア６は、コントローラー３から出力された画像処理済みの医用画像データに基づいて画像を表示して診断を行うための高解像度の表示装置である。
ホスト装置７は、画像ＤＢ７ａを備え、コントローラー３から出力された画像処理済みの医用画像データを画像ＤＢ７ａに保存、管理する。
【００３９】
次に、本実施の形態における動作について説明する。
図５に、コントローラー３の制御部３１により実行される画像撮影／出力制御処理を示す。本処理は、制御部３１のＣＰＵとＲＯＭに記憶されている画像撮影／出力制御処理プログラムとの協働によるソフトウエア処理によって実現される。
【００４０】
まず、受付装置４において発行された患者情報、撮影部位情報を含む撮影オーダ情報が通信制御部３７を介して入力される（ステップＳ１）。撮影オーダ情報の入力は、操作表示部３２に受付画面を表示し、操作表示部３２からの入力により行うようにしてもよい。
【００４１】
次いで、識別ラベル検出部３６により、カセッテ１７に貼付された識別ラベルのカセッテＩＤが読み取られ、ステップＳ１で入力された撮影オーダ情報と読み取られたカセッテＩＤとが対応付けられ撮影オーダ情報記憶部３３１に記憶される（ステップＳ２）。
【００４２】
ここで、撮影装置１において撮影オーダ情報に従って被写体Ｍが撮影され、被写体Ｍを透過した放射量に基づく放射線画像情報がカセッテ１７の輝尽性蛍光体シート１８に潜像として記録される。潜像が記録されたカセッテ１７がリーダー２に装填されると、カセッテ１７に貼付された識別ラベルが読み取られ、カセッテＩＤがコントローラー３に送信される。
【００４３】
コントローラー３において、通信制御部３７を介してリーダー２からカセッテＩＤが受信されると、制御部３１のＲＯＭに記憶されている画像読取制御プログラムに従ってリーダー２の読取制御が行われ、カセッテ１７に記録された放射線画像の読み取りが行われる（ステップＳ３）。例えば、コントローラー３は、撮影オーダ情報記憶部３３１において受信されたカセッテＩＤに対応付けられている未撮影の撮影オーダ情報を検索し、その撮影オーダ情報に含まれる撮影部位情報に対応する読取条件パラメータをパラメータ記憶部３３４から読み出してリーダー２に送信し、撮影部位に応じた読取条件パラメータに基づいてカセッテ１７に蓄積された放射線画像の読み取りを行わせる。リーダー２により得られた医用画像データは、随時コントローラー３へ送信される。
【００４４】
通信制御部３７を介してリーダー２から医用画像データが受信されると、当該医用画像データが撮影オーダ情報と対応付けられて画像データ記憶部３３２に記憶され、画像処理部３４において、撮影オーダ情報に含まれる撮影部位情報に対応する画像処理パラメータがパラメータ記憶部３３４から読み出され、読み出された画像処理パラメータに基づく画像処理条件で読み取られた医用画像データに階調処理、周波数処理等の画像処理が施される（ステップＳ４）。操作表示部３２の表示画面上には、画像確認画面３２１（図６参照）が表示され、その画像表示欄３２１ａに画像処理後の医用画像が表示される（ステップＳ５）。
【００４５】
図６に、画像確認画面３２１の一例を示す。図６に示すように、画像確認画面３２１には、リーダー２から読み取られ、画像処理された医用画像を表示するための画像表示欄３２１ａと、画像処理条件の調整指示を入力するための画像処理条件調整欄３２１ｂと、画像表示欄３２１ａの各表示欄に対応して設けられ、各表示欄に表示された医用画像を確定し、その医用画像データをプリンタ５、ビューア６、ホスト装置７等の外部装置に出力指示するためのＯＫボタン３２１ｃと、各表示欄に表示された医用画像の破棄及び再出力を指示するためのＮＧボタン３２１ｄと、を有している。画像確認画面３２１には、同一患者の同一撮影部位に関して撮影された医用画像が一画面上に表示される。出力済みマーク３２１ｅが表示された医用画像は、既に外部装置に出力済みの画像である。
【００４６】
画像確認画面３２１の画像処理条件調整欄３２１ｂから画像処理条件の調整が入力されると、調整後の画像処理条件に応じて画像処理部３４において画像処理が施され、表示される（ステップＳ６）。
【００４７】
また、体動判定部３５において、リーダー２から受信された医用画像データが解析され、医用画像撮影時における被写体Ｍの体動の有無が判定される（ステップＳ７）。
【００４８】
（体動判定処理Ａ）
以下、ステップＳ７において、体動判定部３５により実行される体動判定処理Ａについて、図７を参照して詳細に説明する。
まず、リーダー２から受信された医用画像データから、ナイキスト周波数ｆＮと（ｆＮ−Δｆ）間の高周波数成分（図４参照）が抽出される（ステップＴ１）。高周波数成分は、例えば、医用画像データをフーリエ変換してハイパスフィルタを通過させることにより抽出される。
【００４９】
次いで、抽出されたｆＮと（ｆＮ−Δｆ）間の高周波数成分の周波数レスポンスの最大値Ｄｍａｘ１が算出され（ステップＴ２）、最大値Ｄｍａｘ１と予め設定された閾値Ｄ１との比較が行われ、最大値Ｄｍａｘ１が予め設定された閾値Ｄ１以下であるか否かが判別される（ステップＴ３）。最大値Ｄｍａｘ１が閾値Ｄ１以下である場合は（ステップＴ３；ＹＥＳ）、当該医用画像の撮影時の被写体Ｍに体動が有ると判定され（ステップＴ４）、判定結果が制御部３１に出力され、本処理は終了する。一方、最大値Ｄｍａｘ１が所定の閾値Ｄ１を超えた場合は（ステップＴ３；ＮＯ）、当該医用画像の撮影時の被写体Ｍに体動が無いと判定され（ステップＴ５）、判定結果が制御部３１に出力され、本処理は終了する。
【００５０】
なお、図７に示す体動判定処理Ａにおいては、ナイキスト周波数ｆＮと（ｆＮ−Δｆ）間の高周波数成分の周波数レスポンスの最大値Ｄｍａｘ１が予め設定された閾値Ｄ１以下であるか否かにより医用画像の撮影時の被写体Ｍの体動の有無を判定することとしたが、これに限定されず、高周波成分の周波数成分の周波数レスポンスの大きさを統計的に代表して表す代表値であればよい。例えば、ナイキスト周波数ｆＮと（ｆＮ−Δｆ）間の高周波数成分の周波数レスポンスの平均値Ｄａｖｅ１を求め、平均値Ｄａｖｅ１が予め設定された閾値Ｄ２以下であるか否かにより体動の有無を判定するようにしてもよい。また、ナイキスト周波数ｆＮと（ｆＮ−Δｆ）間の高周波数成分の周波数レスポンスの積分値Ｄｉｎｔ１を求め、積分値Ｄｉｎｔ１が予め設定された閾値Ｄ３以下であるか否かにより体動の有無を判定するようにしてもよい。
【００５１】
周波数レスポンスは絶対値を用いるようにしてもよいし、「ナイキスト周波数ｆＮと（ｆＮ−Δｆ）間の高周波数成分の周波数レスポンス」と「全空間周波数の周波数レスポンス」との相対比較に基づいて、例えば、それらの最大値、平均値、積分値等の代表値の相対比が予め設定された閾値以下であるか否かにより体動を判定するようにしてもよい。
【００５２】
また、体動判定においては、抽出された高周波成分の周波数レスポンスの値そのものを用いる他、周波数レスポンスの大小に対応する別の指標の値を用いるようにしてもよい。例えば、高周波成分に対応する周波数帯域画像の画素値を用いることができる。前記周波数帯域画像は、高周波成分の周波数レスポンスを逆フーリエ変換などにより空間周波数ドメインから画素値ドメインへと変換した結果の出力画像として求めたり、一般にエッジ抽出フィルタ等として用いられる高周波強調の空間フィルタを適用した結果のフィルタ出力画像として求めたりすることができる。また、一般に非鮮鋭化フィルタ等として用いられる高周波減弱の空間フィルタを適用した結果のフィルタ出力画像を、原画像から減算した差分画像として求めることもできる。
【００５３】
（体動判定処理Ｂ）
図８に、医用画像データの高周波成分に対応する周波数帯域画像の画素値を用いて体動判定を行う体動判定処理Ｂについて、詳細に説明する。体動判定部３５は、上述の体動判定処理Ａにより体動の有無を判定してもよいし、以下に説明する体動判定処理Ｂにより体動の有無を判定するようにしてもよい。
【００５４】
まず、リーダー２から受信された医用画像データから、ナイキスト周波数ｆＮと（ｆＮ−Δｆ）間の高周波数成分に対応する周波数帯域画像データ（以下、高周波数帯域画像データと称する）が抽出される（ステップＴ１１）。この高周波数帯域画像データは、例えば、下記の（１）〜（３）の方法により抽出することができる。
（１）医用画像データをフーリエ変換して周波数成分に変換し、ハイパスフィルタを通過させた後、逆フーリエ変換する。
（２）周波数強調処理における手法を用いて（例えば、特開昭６２−６２３７３号公報、特開昭６２−６２３７６号公報）、医用画像データから非鮮鋭マスク画像データを作成し、医用画像データと非鮮鋭マスク画像データとの差分の成分をとる。
（３）医用画像データを多重解像度処理（例えば、特開平１１−３４５３３１号公報）により複数の空間周波数帯域毎に分解し、複数に分解された画像データのうち、最も高い周波数帯域の画像データを取得する。
【００５５】
次いで、抽出された高周波数帯域画像データの画素値の最大値Ｄｍａｘ１１が算出され（ステップＴ１２）、最大値Ｄｍａｘ１１と閾値Ｄ１１との比較が行われ、最大値Ｄｍａｘ１１が予め設定された閾値Ｄ１１以下であるか否かが判別される（ステップＴ１３）。最大値Ｄｍａｘ１が閾値Ｄ１１以下である場合は（ステップＴ１３；ＹＥＳ）、当該医用画像の撮影時の被写体Ｍに体動が有ると判定され（ステップＴ１４）、判定結果が制御部３１に出力され、本処理は終了する。一方、最大値Ｄｍａｘ１１が所定の閾値Ｄ１１を超えた場合は（ステップＴ１３；ＮＯ）、当該医用画像の撮影時の被写体Ｍに体動が無いと判定され（ステップＴ１５）、判定結果が制御部３１に出力され、本処理は終了する。
【００５６】
なお、図８に示す体動判定処理Ｂにおいては、ナイキスト周波数ｆＮと（ｆＮ−Δｆ）間の高周波数成分に対応する高周波数帯域画像データの画素値の最大値Ｄｍａｘ１１が予め設定された閾値Ｄ１１以下であるか否かにより医用画像の撮影時の被写体Ｍの体動の有無を判定することとしたが、これに限定されず、前記高周波成分に対応する高周波数帯域画像データの画素値を統計的に代表して表す代表値であればよい。例えば、ナイキスト周波数ｆＮと（ｆＮ−Δｆ）間の高周波数帯域画像データの画素値の平均値Ｄａｖｅ１１を求め、平均値Ｄａｖｅ１１が予め設定された閾値Ｄ１２以下であるか否かにより体動の有無を判定するようにしてもよい。また、ナイキスト周波数ｆＮと（ｆＮ−Δｆ）間の高周波数帯域画像データの画素値の積分値Ｄｉｎｔ１１を求め、積分値Ｄｉｎｔ１１が予め設定された閾値Ｄ１３以下であるか否かにより体動の有無を判定するようにしてもよい。
【００５７】
周波数レスポンスに対応する指標、即ち画素値は絶対値を用いるようにしてもよいし、「ナイキスト周波数ｆＮと（ｆＮ−Δｆ）間の高周波成分に対応する高周波数帯域画像データの画素値」と「医用画像データの（全空間周波数成分の）画素値」との相対比較に基づいて、例えば、それらの最大値、平均値、積分値等の代表値の相対比が予め設定された閾値以下であるか否かにより体動を判定するようにしてもよい。
【００５８】
ここで、医用画像において診断上注目すべき領域に体動が存在すると、診断に影響が出るので診断用の画像として利用することはできないが、診断に用いない画像領域に体動が存在しても、診断への影響はほとんどない。そこで、公知の技術を利用して、医用画像データを解析し、医用画像における診断上注目すべき領域、即ち、医用画像における被写体Ｍの解剖学的領域に対応する関心領域を設定し（例えば、特開平３−２１８５７８号公報、特開２０００−２３９５０号公報、特開２０００−３３０８２号公報）、関心領域内の画像データについて、上述の体動判定処理Ａ又はＢを行うことが好ましい。図９に、胸部正面画像における関心領域を示す。
【００５９】
また、医用画像の中心ほど被写体が含まれる確率が高い。そこで、図１０に示すように、医用画像の中心に近いほど重みが大きくなるように重み係数を設定し（例えば、図１０の領域Ｒ１の重み係数＝１、領域Ｒ２の重み係数＝０．５、領域Ｒ３の重み係数＝０と設定）、上記ｆＮと（ｆＮ−Δｆ）間の高周波数成分の周波数レスポンス、又は上記ｆＮと（ｆＮ−Δｆ）間の高周波数成分に対応する高周波数帯域画像データの画素値に、領域に応じた重み係数を乗算し、その最大値が閾値以下であるか否か、或いは平均値が閾値以下であるか否か、或いは積分値が閾値以下であるか否かにより医用画像の撮影時の被写体Ｍの体動の有無を判定するようにしてもよい。これにより、被写体が含まれる確率が高い領域を重視した判定を行うことが可能となる。
【００６０】
医用画像が放射線画像である場合には、散乱放射線の影響や人体への不要な被曝を低減するために、照射野絞りが用いられることがある。照射野絞りにより形成された放射線照射野領域の中心ほど、被写体が含まれる確立が高い。そこで、医用画像の中心に近いほど重みが大きくなるように重み係数を設定する手法に替えて、照射野認識手段により放射線照射野領域を認識し（例えば、特開昭６３−２５９５３８号公報、特開平５−７５７９号公報、特開平７−１８１６０９号公報）、認識された放射線照射野領域の中心に近いほど重みが大きくなるように重み係数を設定する手法を用いてもよい。
【００６１】
図５において、ステップＳ７の体動判定部３５による体動判定が終了し、体動があると判定された場合は（ステップＳ８；ＹＥＳ）、操作表示部３２に表示された画像確認画面３２１上に体動判定結果として体動判定告知画面３２２がオーバーレイ表示される（ステップＳ９）。体動がないと判定された場合は、処理はステップＳ１０に移行する。
【００６２】
図１１に、体動判定告知画面３２２の一例を示す。図１１に示すように、体動判定告知画面３２２には、「モーションアーチファクトの可能性があります。」という体動判定結果と、その画像に関する情報（患者ＩＤ、患者氏名、撮影日時等）がその画像とともに表示される。また、体動判定告知画面３２２には、画像の拡大表示を指示するための拡大表示ボタン３２２ａ及び画像をスクロールするためのスクロールバー３２２ｂが表示されている。拡大表示ボタン３２２ａが押下されると、制御部３１により、表示されている医用画像の拡大表示制御が行われ、医用画像が拡大表示される。スクロールバー３２２ｂが操作されると、制御部３１により、表示されている医用画像のスクロール表示制御が実行され、その操作に応じて医用画像がスクロール表示される。この拡大、スクロールにより、撮影技師は体動の有無を確認することが可能となる。ボタン３２２ｃが押下されると、画像確認画面３２１が表示される。
【００６３】
ステップＳ１０において、画像確認画面３２１からＯＫボタン３２１ｃが押下されることにより、再撮影を行わずに医用画像データを出力することが指示されると（ステップＳ１０；ＮＯ）、通信制御部３７により画像処理済みの医用画像データが所定の出力先に出力される（ステップＳ１１）。また、処理済み画像データ記憶部３３３に、画像処理済みの医用画像データが撮影オーダ情報と対応付けて記憶される。
【００６４】
医用画像データの出力先は、操作表示部３２の所定の操作により表示される図示しない出力先選択画面より設定することが可能である。出力先選択画面には、ＬＡＮを介してコントローラー３に接続されている外部装置の一覧（例えば、プリンタ５、ビューア６、ホスト装置７の装置名称等）が表示される。出力先選択画面から出力先となる装置が選択されると、選択された装置のＩＰアドレスが医用画像データの出力先として設定される。ステップＳ１１においては、通信制御部３７により画像処理済みの医用画像データが出力先選択画面上で選択された出力先のＩＰアドレスに出力される。
【００６５】
一方、画像確認画面３２１からＮＧボタン３２１ｄが押下され、再撮影が指示されると（ステップＳ１０；ＹＥＳ）、画像データ記憶部３３２から当該医用画像データが破棄（消去）され（ステップＳ１２）、処理はステップ２に戻り、再撮影が行われる。
【００６６】
以上説明したように、コントローラー３によれば、体動判定部３５においてリーダー２から送信された医用画像データが解析され、撮影時の被写体Ｍの体動の有無が自動的に判定されるので、体動の発生した医用画像を診断に供することを未然に防ぎ、撮影業務の効率を向上させることが可能となる。
【００６７】
なお、上記実施の形態における記述内容は、本発明に係る医用画像撮影システム１００の好適な一例でありこれに限定されるものではない。
【００６８】
例えば、操作表示部３２から予め体動判定を実行する撮影部位や患者年齢範囲等を設定できるようにし、制御部３１は、医用画像データに対応する撮影オーダ情報に含まれる撮影部位情報や患者情報に基づいて、体動判定部３５を動作させるか否かを決定するようにしてもよい。このようにすれば、予め体動の発生しやすい特定の撮影部位（胸部・腹部画像）のみ、或いは、体動の発生しやすい特定の範囲の年齢（新生児、小児）の患者のみに対して体動判定動作を行うことが可能となる。また、医用画像データに対応する撮影オーダ情報（例えば、撮影部位）に基づいて、体動判定部３５で用いる閾値を変更する等、体動判定のアルゴリズムを変更するようにすることが好ましい。
【００６９】
また、体動判定を実行したか否かの情報、および体動判定結果の情報を、付帯情報として医用画像データに対応づけて記憶するような構成としてもよい。さらに、前記体動判定結果に基づいて、画像出力前に実行される付加的な画像処理を実行するか否かを決定するようにしてもよい。具体的には、例えば、体動有りと判定された場合は、前記の付加的な画像処理を実行しない。前記の付加的な画像処理の例としては、例えば特開2000-287957号公報、特開平6-121792号公報、特開平2-185240号公報に記載される異常陰影検出処理や、特開平7-381号公報、Medical Physics, Vol.17, No.3, pp.342-350 (1990) に記載される自動画像計測処理などが挙げられる。
【００７０】
また、上記実施の形態においては、体動判定結果を表示部に表示させる構成としたが、コントローラー３は、体動判定結果又は体動有りを告知するための音声情報及び音声を出力するためのスピーカ等の音声出力手段を備えた構成とし、制御部３１は、体動判定結果又は体動有りを告知する際には、表示ではなく音声により告知を行う制御するようにしてもよい。
【００７１】
また、本発明の体動判定に加えて、特開平４−３６４８３４号公報に示すポジショニング判定手段、及びその判定結果に基づいて警告を表示する警告手段を備えた構成としてもよい。
【００７２】
また、上記実施の形態においては、画像生成装置としてカセッテタイプのＣＲ装置を用いるシステムを例にとり説明したが、これに限定されるものではなく、他の放射線画像変換媒体を使用するシステムや放射線画像変換媒体を使用しない立位／臥位専用タイプのシステム、ＦＰＤ等の放射線ディテクタを用いて放射線画像をデジタル信号として直接取り出すシステム等の医用画像の表示を行う任意の装置に適用することができる。また、放射線画像に限る必要はなく、ＣＴ、ＭＲＩ（磁気共鳴イメージング）などを用いてもよい。
【００７３】
その他、医用画像撮影システム１００を構成する各装置の細部構成及び細部動作に関しても、本発明の趣旨を逸脱することのない範囲で適宜変更可能である。
【図面の簡単な説明】
【００７４】
【図１】本発明に係る医用画像撮影システム１００の全体構成を示す図である。
【図２】図１のコントローラー３の機能的構成を示すブロック図である。
【図３】図２の記憶部３３の構成例を示す図である。
【図４】体動有りの場合と無しの場合の空間周波数と周波数レスポンスの関係を示す図である。
【図５】図２の制御部３１により実行される画像撮影／出力制御処理を示すフローチャートである。
【図６】画像確認画面３２１の一例を示す図である。
【図７】図２の体動判定部３５により実行される体動判定処理Ａを示すフローチャートである。
【図８】図２の体動判定部３５により実行される体動判定処理Ｂを示すフローチャートである。
【図９】胸部正面画像における関心領域を示す図である。
【図１０】医用画像の中心からの距離と周波数レスポンス（又は画素値）に乗算する重み係数との関係の一例を模式的に示す図である。
【図１１】体動判定告知画面３２２の一例を示す図である。
【符号の説明】
【００７５】
１００  医用画像撮影システム
１  撮影装置
１６  放射線源
１７  カセッテ
１８  輝尽性蛍光体シート
２  リーダー
３  コントローラー
３１  制御部
３２  操作表示部
３３  記憶部
３３１  撮影オーダ情報記憶部
３３２  画像データ記憶部
３３３  処理済み画像データ記憶部
３３４  パラメータ記憶部
３４  画像処理部
３５  体動判定部
３６  識別ラベル検出部
３７  通信制御部
３８  バス
４  受付装置
５  プリンタ
６  ビューア
７  ホスト装置
７ａ  画像ＤＢ
Ｈ  スイッチングハブ
【図１】
2006034521.tif 000003
【図２】
2006034521.tif 000004
【図３】
2006034521.tif 000005
【図４】
2006034521.tif 000006
【図５】
2006034521.tif 000007
【図６】
2006034521.tif 000008
【図７】
2006034521.tif 000009
【図８】
2006034521.tif 000010
【図９】
2006034521.tif 000011
【図１０】
2006034521.tif 000012
【図１１】
2006034521.tif 000013